【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
位相差検出によるAF（Auto Focus）を行うための位相差検出画素を含む複数の画素を備える固体撮像装置であって、
前記位相差検出画素は、
オンチップレンズと、
前記オンチップレンズより下層に形成された光電変換部と
を備え、
前記位相差検出画素のうちの複数の所定の位相差検出画素において、前記オンチップレンズは、前記所定の位相差検出画素の配置に応じた射出瞳補正量とは異なるずれ量をもって形成される
固体撮像装置。
【請求項２】
前記位相差検出画素は、前記光電変換部の一部を遮光する遮光膜をさらに備え、
前記所定の位相差検出画素において、前記オンチップレンズおよび前記遮光膜は、前記所定の位相差検出画素の配置に応じた射出瞳補正量とは異なるずれ量をもって形成される
請求項１に記載の固体撮像装置。
【請求項３】
前記所定の位相差検出画素は、互いに近い位置に配置され、
前記所定の位相差検出画素において、前記オンチップレンズおよび前記遮光膜は、前記前記位相差検出画素の配置に応じた射出瞳補正量とは異なる補正量の射出瞳補正がかけられている
請求項２に記載の固体撮像装置。
【請求項４】
前記所定の位相差検出画素は、互いに離れた位置に配置され、
前記所定の位相差検出画素において、前記オンチップレンズおよび前記遮光膜は、射出瞳補正がかけられていない
請求項２に記載の固体撮像装置。
【請求項５】
前記所定の位相差検出画素は、複数の前記画素に含まれる、画像を生成するための撮像画素が配置される画像出力領域の外側に配置される
請求項２または４に記載の固体撮像装置。
【請求項６】
前記所定の位相差検出画素は、複数の前記画素に含まれる、画像を生成するための撮像画素が配置される画像出力領域の内側に配置される
請求項２または４に記載の固体撮像装置。
【請求項７】
前記所定の位相差検出画素に隣接する前記画素は、通常より大きいサイズの前記オンチップレンズを備える
請求項２に記載の固体撮像装置。
【請求項８】
前記所定の位相差検出画素に隣接する前記画素は、通常より小さいサイズの前記オンチップレンズを備える
請求項２に記載の固体撮像装置。
【請求項９】
前記位相差検出画素は、前記光電変換部として、分割形成されている光電変換部を備える
請求項１に記載の固体撮像装置。
【請求項１０】
前記位相差検出画素同士の出力の差分を用いて位相差検出を行う位相差検出部と、
予め得られた前記所定の位相差検出画素の出力を用いて、検出された位相差を補正する位相差補正部とをさらに備える
請求項１乃至９のいずれかに記載の固体撮像装置。
【請求項１１】
前記位相差補正部は、予め得られた前記所定の位相差検出画素の出力を用いて求められる位相差特性に基づいて、検出された位相差を補正する
請求項１０に記載の固体撮像装置。
【請求項１２】
前記位相差特性は、１対の前記位相差検出画素における、入射光の光軸の角度に対する前記位相差検出画素それぞれの出力を表し、
前記位相差補正部は、前記位相差特性における所定の角度範囲での前記出力の傾きを用いて求められる補正パラメータを用いて、検出された位相差を補正する
請求項１１に記載の固体撮像装置。
【請求項１３】
前記位相差補正部は、レンズのＦ値に対応した前記補正パラメータを用いて、検出された位相差を補正する
請求項１２に記載の固体撮像装置。
【請求項１４】
前記位相差補正部は、像高に対応した前記補正パラメータを用いて、検出された位相差を補正する
請求項１２に記載の固体撮像装置。
【請求項１５】
前記位相差補正部は、撮影環境に対応した前記補正パラメータを用いて、検出された位
相差を補正する
請求項１２に記載の固体撮像装置。
【請求項１６】
位相差検出によるAF（Auto Focus）を行うための位相差検出画素を含む複数の画素を備える撮像素子であって、
前記位相差検出画素は、
オンチップレンズと、
前記オンチップレンズより下層に形成された光電変換部と、
前記光電変換部の一部を遮光する遮光膜と
を備え、
前記位相差検出画素のうちの複数の所定の位相差検出画素において、前記オンチップレンズおよび前記遮光膜は、前記所定の位相差検出画素の配置に応じた射出瞳補正量とは異なるずれ量をもって形成される撮像素子と、
被写体光を前記撮像素子に入射するレンズと、
前記位相差検出画素同士の出力の差分を用いて位相差検出を行う位相差検出部と、
予め得られた前記所定の位相差検出画素の出力を用いて、検出された位相差を補正する位相差補正部と、
補正された位相差に応じて、前記レンズの駆動を制御するレンズ制御部と
を備える電子機器。
【請求項１７】
特定のパターンの光を照射する光源をさらに備え、
前記位相差補正部は、前記光源の波長に対応した前記補正パラメータを用いて、検出された位相差を補正する
請求項１６に記載の電子機器。
【請求項１８】
前記位相差検出画素は、複数の前記画素に含まれる、画像を生成するための撮像画素が配置される画像出力領域の内側に配置され、
予め得られた前記所定の位相差検出画素の出力を用いて、前記所定の位相差検出画素の出力を補正する欠陥補正部をさらに備える
請求項１６に記載の電子機器。
【請求項１９】
位相差検出によるAF（Auto Focus）を行うための位相差検出画素を含む複数の画素を備える撮像素子であって、
前記位相差検出画素は、
オンチップレンズと、
前記オンチップレンズより下層に形成された光電変換部と、
前記光電変換部の一部を遮光する遮光膜と
を備え、
前記位相差検出画素のうちの複数の所定の位相差検出画素において、前記オンチップレンズおよび前記遮光膜は、前記所定の位相差検出画素の配置に応じた射出瞳補正量とは異なるずれ量をもって形成される撮像素子と、
被写体光を前記撮像素子に入射するレンズとを備える電子機器のレンズ制御方法であって、
前記電子機器が、
前記位相差検出画素同士の出力の差分を用いて位相差検出を行い、
予め得られた前記所定の位相差検出画素の出力を用いて、検出された位相差を補正し、
補正された位相差に応じて、前記レンズの駆動を制御する
ステップを含むレンズ制御方法。
【請求項２０】
位相差検出によるAF（Auto Focus）を行うための位相差検出画素を含む複数の画素を備える撮像素子であって、
前記位相差検出画素は、
オンチップレンズと、
前記オンチップレンズより下層に形成された光電変換部と、
前記光電変換部の一部を遮光する遮光膜と
を備え、
前記位相差検出画素のうちの複数の所定の位相差検出画素において、前記オンチップレンズおよび前記遮光膜は、前記所定の位相差検出画素の配置に応じた射出瞳補正量とは異なるずれ量をもって形成される撮像素子と、
被写体光を前記撮像素子に入射するレンズと、
前記撮像素子と前記レンズとの間に形成される光学フィルタと
を備える撮像モジュールにおいて、
前記レンズおよび前記光学フィルタは、予め得られた前記所定の位相差検出画素の出力を用いて求められる位相差特性に応じて形成される
撮像モジュール。
【手続補正２】
【補正対象書類名】明細書
【補正対象項目名】００７９
【補正方法】変更
【補正の内容】
【００７９】
図１０のモニタ画素Pa，Pb，Pcにおいて、実際に画素出力として得られるのは、図１１に示されるそれぞれの位相差特性において白抜きの矢印で示される、撮像レンズの入射角設計により決まる所定の角度（例えば30度等）における出力のみとなる。そこで、それぞれ異なる補正量の射出瞳補正がかけられている位相差検出画素の出力をサンプリングすることで、位相差特性における画素出力の曲線を得ることができる。
【手続補正３】
【補正対象書類名】明細書
【補正対象項目名】００９２
【補正方法】変更
【補正の内容】
【００９２】
[位相差検出画素の他の構造例]
また、本技術において、位相差検出画素は、図９下段や図１０下段に示される以外の構造を採ることができる。
【手続補正４】
【補正対象書類名】明細書
【補正対象項目名】０２２０
【補正方法】変更
【補正の内容】
【０２２０】
ここで、図３１の左側に示される撮像モジュール７００において、撮像素子７１１、光学フィルタ７１２、およびレンズ７１３が、設計通り、ずれがなく形成された場合、撮像モジュール７００の位相差特性も、ばらつきもあるものとなってしまう。
【手続補正５】
【補正対象書類名】明細書
【補正対象項目名】０２２６
【補正方法】削除
【補正の内容】
【手続補正６】
【補正対象書類名】明細書
【補正対象項目名】０２２７
【補正方法】変更
【補正の内容】
【０２２７】
１２２  フォトダイオード，  １２３  遮光膜，  １２５  オンチップレンズ，  ３００  電子機器，  ３０１  レンズ，  ３０３  撮像素子，  ３０７  メモリ，  ３０８  位相差検出部，  ３０９  位相差補正部，  ３１０  レンズ制御部，  ３１１  欠陥補正部，  ４００  電子機器，  ５００  カメラ，  ６００  カプセル内視鏡，  ７００  撮像モジュール，  ８００  ３次元センサ